(57)【特許請求の範囲】
【請求項１】
充填液を貯留するタンクと、ピストンの進退動により上記充填液を所定量吸引した後排出するシリンダと、このシリンダから排出された液を容器内に充填する充填ノズルと、上記タンクとシリンダとの間を連通遮断する第１バルブと、シリンダと充填ノズルとの間を連通遮断する第２バルブとを備え、上記第１バルブと第２バルブとを連動させて交互に開閉を行うとともに、上記第２バルブを、筒体内で昇降するロッドに設けられた弁体と、この弁体が着座する弁座とから構成し、上記ロッドを昇降手段によって昇降させて、弁体が弁座に着座する位置と離座する位置とに停止させることにより第２バルブの開閉を行なうピストン式定量充填機において、
上記ロッドの弁体と逆の端部側にエア室を形成し、通常運転時には、上記昇降手段により第２バルブの開閉を行なうとともに、前記エア室にエアを導入しておき、充填中に運転が停止した際に、このエア室のエアを排出することにより上記ロッドを上昇させ、弁座から離座した位置にある弁体を弁座に着座させることを特徴とするピストン式定量充填機。
【発明の詳細な説明】
【０００１】
【産業上の利用分野】
本発明は充填機に係り、特に、シリンダ内に一定量の充填液を吸引した後、その液をピストンによって押出して容器内に充填するピストン式定量充填機に関するものである。
【０００２】
【従来の技術】
ピストン式定量充填機の一例として特開平４−１４２２８６号に示すものが既に知られている。このピストン式定量充填機は、回転体(4) の外周側に等間隔で複数の充填バルブ(6) が設けられている。各充填バルブ(6) は、ピストン(8) の下降によって図示しないタンクから一定量の充填液を吸引して計量するシリンダ(10)と、ピストン(8) の上昇によってシリンダ(10)から送り出された充填液を容器内に充填するノズル(12)と、これらシリンダ(10)とタンクとの間およびシリンダ(10)とノズル(12)との間の通路をそれぞれ連通遮断する第１および第２のバルブ（じゃばら式ポペットバルブ）(14)，(16)とを備えている。
【０００３】
上記両ポペットバルブ(14)，(16)はそれぞれ、通路部材(19)または固定部材(50)の内面に形成された弁座(19b) ，(50a) と、筒体(36)，(52)内に摺動自在に嵌合されたロッド(38)，(54)の下端に設けられた弁体(40)，(56)とを備えており、上方に配置されたスプリング(44)，(57)によってロッド(38)，(54)が常時上方へ付勢されて弁体(40)，(56)を上方の弁座(19b) ，(50a) に着座させるようになっており、両ロッド(38)，(54)の上方に水平に配置された回転軸(64)に、２枚の偏心した回転板（カム）(68)，(70)を位相をずらして固定し、回転軸(64)を回転させることによりこれら２枚の回転板(68)，(70)によって交互に両ロッド(38)，(54)を押し下げて、２つのポペットバルブ(14)，(16)を交互に開閉するようになっている。
【０００４】
以上の構成に係る従来のピストン式定量充填機では、タンクとシリンダ(10)との間の第１のポペットバルブ(14)を開放し、第２のポペットバルブ(16)は閉じた状態で、ピストン(8) を下降させることにより、シリンダ(10)内に所定量の充填液を吸引した後、上記第１のポペットバルブ(14)を閉じるとともにシリンダ(10)とノズル(12)との間の第２のポペットバルブ(16)を開放して、ピストン(8) を上昇させることにより、シリンダ(10)内の充填液を押出し、ノズル(12)を介して容器内に充填するようになっている。
【０００５】
【発明が解決しようとする課題】
上述のようなカム（偏心した回転板(68)，(70)）を用いてバルブ(14)，(16)を開閉するタイプのピストン式定量充填機において、充填運転中に緊急停止等の事態が発生した場合には、液圧によりバルブを開閉するタイプのピストン式定量充填機（例えば実開昭６２−１３００９９）のように液圧が作用しなくなると自動的にスプリング力によってバルブが閉じるものと異なって、シリンダ(10)とノズル(12)との間の第２のバルブ(16)が充填中の開放したままの状態になってしまう。このようにノズル(12)側の第２バルブ(16)が開放したままの状態になると、ノズル(12)内の液が容器内へ流下してしまうため、充填量のばらつきが生じたり、容器内からあふれてしまう等の問題があった。
【０００６】
本発明は上記欠点を除くためになされたもので、充填中に本機が停止した場合に、シリンダとノズルとの間の第２バルブを閉じることにより、ノズル内の液が落下することを防止するピストン式定量充填機を提供することを目的とするものである。
【０００７】
【課題を解決するための手段】
本発明に係るピストン式定量充填機は、充填液を貯留するタンクと、ピストンの進退動により上記充填液を所定量吸引した後排出するシリンダと、このシリンダから排出された液を容器内に充填する充填ノズルと、上記タンクとシリンダとの間を連通遮断する第１バルブと、シリンダと充填ノズルとの間を連通遮断する第２バルブとを備え、上記第１バルブと第２バルブとを連動させて交互に開閉を行うとともに、上記第２バルブを、筒体内で昇降するロッドに設けられた弁体と、この弁体が着座する弁座とから構成し、上記ロッドを昇降手段によって昇降させて、弁体が弁座に着座する位置と離座する位置とに停止させることにより第２バルブの開閉を行なうものであって、さらに、上記ロッドの弁体と逆の端部側にエア室を形成し、通常運転時には、上記昇降手段により第２バルブの開閉を行なうとともに、前記エア室にエアを導入しておき、充填中に運転が停止した際に、このエア室のエアを排出することにより上記ロッドを上昇させ、弁座から離座した位置にある弁体を弁座に着座させて第２バルブを閉じるようにしたものである。
【０００９】
【作用】
ピストン式定量充填機は、充填中は、タンクとシリンダとの間の第１バルブを閉じ、シリンダとノズルとの間の第２バルブを開放して、ピストンを上昇させることによりシリンダ内の充填液を押出し、ノズルを介して容器内に充填するようになっており、この充填中に非常停止した場合には、従来の構成ではシリンダとノズルとの間の第２バルブが開放したままになり、充填液が容器内に流入しつずけてしまうが、本発明に係るピストン式定量充填機では、ロッドの端部側に形成したエア室内にエアを導入または排出することにより、弁体を移動させて弁座に着座させ、上記第２バルブを閉じてしまうので、それ以後の容器内への充填液の流入が停止する。
【００１０】
【実施例】
以下、図面に示す実施例により本発明を説明する。図１は本発明の一実施例に係るピストン式定量充填機の充填機構（全体を符号１で示す）の１つを示す縦断面図である。この充填機構１は、回転板２の外周側に円周方向等間隔で設けられており、ピストン３の下降によって図示しないタンクから充填液を吸引して計量するシリンダ４と、ピストン３の上昇によってこのシリンダ４から送り出された充填液を容器内に充填するノズル６と、タンクとシリンダ４との間の通路を連通遮断する第１のポペットバルブ８と、シリンダ４とノズル６との間の通路を連通遮断する第２のポペットバルブ１０とを備えている。
【００１１】
上記シリンダ４内に摺動自在に嵌合されたピストン３は、下端がコネクティングロッド５に連結され、図示しないエアシリンダ等の駆動手段によって昇降されるようになっており、通常の充填運転時には、上記第１ポペットバルブ８を開放するとともに第２ポペットバルブ１０を閉じ、ピストン３を下死点３ａまで下降させてシリンダ４の液室４ａ内にタンクから所定量の充填液を吸入し、その後、第１ポペットバルブ８を閉じるとともに第２ポペットバルブ１０を開放し、ピストン３を上死点３ｂまで上昇させて所定量の充填液を押出し、ノズル６を介して容器内に充填する。なお、シリンダ４の上部内面には、ピストン３の外径よりも内径の大きい部分４ｂが形成されるとともに、下端部に排液管４ｃが接続されており、一方、ピストン３には、シリンダ４の内面を摺動する部分３ｃと、中間の小径部３ｄと、下端の大径シール部３ｅとが形成されており、洗浄時には、ピストン３の摺動部３ｃを上記上死点３ｂよりも上方の上記大径の部分４ｂ内まで上昇させ、シール部３ｅによってシリンダ４の下端部をシールするようになっている。
【００１２】
回転板２の下面側に上下２個のブロック１２，１４が固定され、これら両ブロック１２，１４の接合部内にバルブ孔１６が形成されている。このバルブ孔１６は、上部の側面が、上側ブロック１２の内部に形成された通路１２ａ等を介して図示しないタンクに連通し、下部が、下側ブロック１４の縦方向の通路穴１４ａを介して、下側ブロック１４の下面に固定されているシリンダ４の液室４ａ内に連通している。また、この縦方向の通路穴１４ａは、下側ブロック１４の横方向通路１４ｂを介して第２ポペットバルブ１０に接続されている。
【００１３】
回転板２の、上記バルブ孔１６の上方には円孔２ａが形成され、この円孔２ａ内に筒体１８が嵌合固定されている。筒体１８の内部には、スライドロッド２０が昇降自在に嵌合している。スライドロッド２０の下端には弁体２２が取付けられており、スライドロッド２０が下降したときに、この弁体２２が上記バルブ孔１６の底面に形成された弁座１６ａに着座するようになっている。これら弁体２２および弁座１６ａによって上記第１のポペットバルブ８が構成されている。スライドロッド２０の上部には、カバー２４が固定されており、このカバー２４の下面と上記筒体１８の上部との間にスプリング２６が介装されてスライドロッド２０を常時上方へ付勢している。スライドロッド２０の上部に固定されたカバー２４の上方には、上端面が開口した円筒部２８が設けられ、この円筒部２８の外周にキャップ３０が嵌合されている。円筒部２８の底面とキャップ３０の下面との間にスプリング３２が配置され、スライドロッド２０とキャップ３０とを上下に付勢している。このキャップ３０の上方に、後に説明するバルブ駆動カム７０が配設されており、このバルブ駆動カム７０の回転によって、上記弁体２２が取付けられたスライドロッド２０をスプリング２６に抗して下降させ、弁体２２をバルブ孔１６内の弁座１６ａに着座させてこの第１ポペットバルブ８を閉塞し、上側ブロック１２内に形成されたタンクへの通路１２ａと、下方に配置されたシリンダ４への通路（縦方向の通路穴１４ａ）とを遮断する。
【００１４】
下側ブロック１４内に形成された横方向通路１４ｂの他端側には、この下側ブロック１４を上下に貫通する円孔１４ｃが形成され、この円孔１４ｃの上下にそれぞれ筒体３４およびスリーブ３６が固定されている。上方に固定された筒体３４内には、スライドロッド３８が摺動自在に嵌合している。このスライドロッド３８の下端部の上面側には弁体４０が設けられており、スライドロッド３８が上昇したときに、この弁体４０が、上記スリーブ３６内に下方側を向けて形成された弁座３６ａに着座するようになっている。これら弁体４０および弁座３６ａによって上記第２のポペットバルブ１０が構成されている。スライドロッド３８の筒体３４上に突出した部分にはカバー４２が固定されており、このカバー４２の下面と上記筒体３４の上部との間にスプリング４４が介装されてスライドロッド３８を常時上方へ付勢している。
【００１５】
下側ブロック１４の下面に固定されたスリーブ３６内には、下方に延びるノズル６が取付られており、上記弁体４０と弁座３６ａとから成る第２ポペットバルブ１０が開放したときには、このノズル６が上記下側ブロック１４内の横方向通路１４ｂおよび縦方向の通路穴１４ａを介して上記シリンダ４の液室４ａ内に接続され、第２ポペットバルブ１０が閉じたときには、このノズル６とシリンダ４の液室４ａ内とが遮断されるようになっている。
【００１６】
上記弁体３６ａが取付けられたスライドロッド３８の下端部には、パイプ４６が固定され、スライドロッド３８と一体的に昇降するようになっており、このパイプ４６の外面と上記ノズル６の内面との間の間隙が容器内に充填される液の通路を構成している。パイプ４６の下端部には、ゴム製のシール部材４８が設けられており、スライドロッド３８が上昇し弁体４０が弁座３６ａに着座して第２ポペットバルブ１０が閉じたときに、このシール部材４８もノズル６の下端開口部に密着してノズル６内を閉塞する。なお、上記パイプ４６内およびスライドロッド３８内には、エア通路４６ａ，３８ａが形成されており、粘度の高い液体等の充填を行なう場合に、充填終了時にこのエア通路４６ａ，３８ａからエアを吹き出して液垂れを防止するようになっている。
【００１７】
第２ポペットバルブ１０のスライドロッド３８の上端には、キャップ５０が摺動可能に嵌合しており、スライドロッド３８の上面とキャップ５０の内面との間に空間５２が形成され、スライドロッド３８の外周に嵌着したＯリング５４によってこの空間５２内の気密が保持されている。この空間（エア室）５２内は、スライドロッド３８に形成されたエア給排孔３８ｂを介して図示しないエア圧力源に接続されており、このエア回路中に設けられた電磁弁（図示せず）の切換操作によって圧力エアを導入し、または大気に開放することができる。通常の充填運転時には、エア室５２内に常時圧力エアが導入されており、スライドロッド３８を下方へ付勢している。キャップ５０の下側には、内向きのフランジを有するストッパ部材５１が螺合固定されており、スライドロッド３８の段部がこのストッパ部材５１に当って下降限を規制される。キャップ５０の上方には、上記第１ポペットバルブ８と同様に、バルブ駆動カム７２が配設されており、このバルブ駆動カム７２の回転によって第２ポペットバルブ１０の開閉を行なうようになっている。
【００１８】
第１ポペットバルブ８と第２ポペットバルブ１０の中間位置の回転板２の上方には、円筒形支持部材５６が回転板２の放射方向を向いて固定され、この円筒形支持部材５６内に、水平な回転軸５８がベアリング６０，６２を介して回転自在に支持されて、切換レバー６４の操作によって回転されるようになっている。この水平な回転軸５８には、上述した２つのバルブ駆動カム７０，７２が取付けられている。これらバルブ駆動カム７０，７２は、それぞれ大径部と小径部とを有しており、両者７０，７２の大径部および小径部が同時に同一の方向を向くように上記回転軸５８に取付けられている。切換レバー６４の操作によって、両バルブ駆動カム７０，７２の大径部がともに下側に移動したときには、第１ポペットバルブ８のスライドロッド２０および第２ポペットバルブ１０のスライドロッド３８を、スプリング２６，４４に抗して押下げ、第１ポペットバルブ８の弁体２２を弁座１６ａに着座させて第１ポペットバルブ８を閉じ、第２ポペットバルブ１０の弁体４０を弁座３６ａから離座させて第２ポペットバルブ１０を開放する。また、両バルブ駆動カム７０，７２の小径側を下側に移動させたときには、両ポペットバルブ８，１０のスライドロッド２０，３８がスプリング２６，４４によって押し上げられ、第１ポペットバルブ８の弁体２２が弁座１６ａから離座して第１ポペットバルブ８が開放し、第２ポペットバルブ１０の弁体４０が弁座３６ａに着座して第２ポペットバルブ１０が閉じる。
【００１９】
上記回転板２の外周部上には、洗浄用シリンダ６６が設けられている。この洗浄用シリンダ６６の作動ロッド６６ａには、支点６７を中心に揺動可能なレバー６８の端部が連結されている。この揺動レバー６８の他端は、スライドロッド３８側に係合しており、洗浄時には、洗浄用シリンダ６６を作動させることにより、駆動レバー６８を揺動させてスライドロッド３８を下降させることにより、第２ポペットバルブ１０を開放できるようになっている。また、図示は省略してあるが、ノズル６の周囲には容器の口部を案内するガイドコーンが昇降可能に配設されており、このガイドコーンが、洗浄時に洗浄カップを挿入する際の邪魔にならないように、ガイドコーン昇降用シリンダ７４によって昇降できるようになっている。
【００２０】
以上の構成に係るピストン式定量充填機の作動について説明する。通常の充填運転を行なう場合には、第２のポペットバルブ１０のスライドロッド３８の上端に形成されているエア室５２内に、エア給排孔３８ｂを介して圧力エアを導入しておく。従って、スライドロッド３８は、図１に示すように、バルブ駆動カム７２に係合し追従して昇降するキャップ５０に対し相対的に下降した位置にあり、この位置関係を維持したまま、キャップ５０とスライドロッド３８はバルブ駆動カム７２の回転に応じて一体的に昇降する。この状態で、切換レバー６４により水平な回転軸５８を回転させ、２つのバルブ駆動カム７０，７２の小径側を下方のキャップ３０，５０側に向ける。すると、第１ポペットバルブ８のスライドロッド２０がスプリング２６によって押し上げられ、スライドロッド２０の下端に設けられた弁体２２が下方の弁座１６ａから離れて第１ポペットバルブ８が開放する。一方、第２ポペットバルブ１０のスライドロッド３８もスプリング４４に押し上げられて上昇し、スライドロッド３８の下端に設けられた弁体４０が上方の弁座３６ａに着座して第２ポペットバルブ１０が閉じるとともに、スライドロッド３８の下方に連結されたパイプ４６の下端に取付けられているシール部材４８もノズル６の下端開口部に密着してこのノズル６内を閉塞する。
【００２１】
そして、コネクティングロッド５によってシリンダ４内のピストン３を下死点３ａまで下降させる。上述のように第２ポペットバルブ１０が閉じ第１ポペットバルブ８が開放しているので、図示しないタンク内の充填液が、上側ブロック１２内の通路１２ａ、第１ポペットバルブ８および下側ブロック１４の縦方向の通路穴１４ｂを介してシリンダ４の液室４ａ内に吸引される。
【００２２】
次に、切換レバー６４を操作して水平の回転軸を１８０度回転させ、両バルブ駆動カム７０，７２の大径部を下方のキャップ３０，５０側に向ける。すると、第１ポペットバルブ８のスライドロッド２０がスプリング２６に抗して押し下げられ、弁体２２が下方の弁座１６に着座して第１ポペットバルブ８が閉じるとともに、第２ポペットバルブ１０のスライドロッド３８もスプリング４４に抗して押し下げられ、弁体４０が上方の弁座３６ａから離座して第２ポペットバルブ１０が開放する。また、スライドロッド３８の下端に連結されたパイプ４６も一体的に下降して、そのシール部材４８がノズル６の下端開口部を開放する（図１に示す状態）。
【００２３】
この状態で、コネクティングロッド５を介してピストン３を上死点３ｂまで上昇させる。シリンダ４の液室４ａ内の充填液は、下側ブロック１４の縦方向の通路穴１４ａ、横方向通路１４ｂ、開放している第２ポペットバルブ１０およびノズル６の内面とパイプ４６の外周面との間の間隙等を介して、ノズル６の下方に配置されたびん台（図示せず）上に供給されている容器内に充填される。所定量の液が容器内に充填されると、再び切換レバー６４を切換えて、第１ポペットバルブ８を開くとともに、第２ポペットバルブ１０およびこれと一体のシール部材４８を閉じて充填を終了する。上記動作を繰り返すことにより連続的に充填を行なう。
【００２４】
上記図１の状態で充填を行なっている途中でこの充填機が非常停止した場合には、これを電気的に検出し、エア室５２に接続されているエア回路内の電磁弁を切換えてエア室５２内のエアを排出する。第２ポペットバルブ１０のスライドロッド３８はスプリング４４によって常時上方へ付勢されているので、エア室５２内のエアが排出されるとスライドロッド３８が上昇し、弁体４０が弁座３６ａに着座するとともにパイプ４６の下端のシール部材４８がノズル６の下端開口部をシールする（図２参照）。このように充填中に非常停止した際には、シリンダ４とノズル６との間の第２ポペットバルブ１０およびノズル６の開口部を直ちに閉塞するので、停止後もノズル６内の液が落下し続けて容器内の液があふれてしまったり、充填された液量にばらつきが生じてしまうことがない。また、再起動する場合には、電磁弁を切換えてエア室５２内に圧力エアを導入し、スライドロッド３８を下降させて、第２ポペットバルブ１０およびノズル６の先端を開放することにより充填を再開することができる。
【００２５】
図３は第２の実施例を示すもので、上記第１実施例と同一の部分には同一の符号を付してその説明を省略し、異なる構成の部分のみを説明する。この実施例では、第２のポペットバルブ１１０の弁座１３６ａは、下側ブロック１４の下面に固定されているスリーブ１３６内に、上方を向いて形成されており、下側ブロック１４上の筒体３４内に摺動自在に嵌合されたスライドロッド１３８の下端に取付けられている弁体１４０の下面側が着座するようになっている。従って、第１のポペットバルブ８と第２のポペットバルブ１１０はともに、スライドロッド２０，１３８が下降したときに弁体２２，１４０が弁座１６ａ，１３６ａに着座して閉じるようになっているので、両ポペットバルブ８，１１０を交互に開閉させるために、これらスライドロッド２０，１３８を昇降させる２つのバルブ駆動カム７０，１７２は、大径側と小径側が逆になるようにして回転軸５８に取付けられている。
【００２６】
また、第２ポペットバルブ１１０のスライドロッド１３８の下端には上記実施例のようなパイプおよびノズルの下端開口部をシールするシール部材は設けられていない。
【００２７】
この実施例では、第２ポペットバルブ１１０のスライドロッド１３８の上端面と、その外周に気密を保持して嵌合されたキャップ５０との間に形成されているエア室１５２（図４参照）は、上記実施例とは逆に、通常の充填運転時には大気に開放されてエアが排出されており、スライドロッド１３８はスプリング４４に押し上げられてその上端面がキャップ５０の内面に当接した状態で一体的に昇降するようになっている。そして、本充填機が充填中に非常停止した場合に、電磁弁を切換えて圧力エアがエア室１５２内に導入されるようになっている。
【００２８】
次に、この実施例装置の作動について説明する。先ず、切換レバー６４によって水平の回転軸５８を回転させて、第１ポペットバルブ８側のバルブ駆動カム７０の小径部を下方に向け、スライドロッド２０をスプリング２６によって上昇させて第１ポペットバルブ８を開放し、第２ポペットバルブ１１０側のバルブ駆動カム１７２は大径部が下方を向くようにして、スライドロッド１３８を下降させ弁体１４０を下方の弁座１３６ａに着座させて第２ポペットバルブ１１０を閉じる。この状態で、コネクティングロッド５を介してピストン３を下死点３ａまで下降させ、タンクからシリンダ４の液室４ａ内に充填液を吸引する。
【００２９】
その後、切換レバー６４の操作によって両バルブ駆動カム７０，１７２を反転させ、第１ポペットバルブ８を閉じるとともに第２ポペットバルブ１１０を開放し、シリンダ４内のピストン３を上死点３ｂまで上昇させる。すると、シリンダ４の液室４ａ内の充填液が押出され、第２ポペットバルブ１１０を通り、ノズル６から容器内に充填される。通常の充填運転時には、このように両ポペットバルブ８，１１０を交互に開閉し、シリンダ４内のピストン３を昇降させることにより、容器内への充填作業を行なう。この充填中に本充填機が非常停止した場合には、図示しない電磁弁を切換えて、エア室１５２内に圧力エアを導入する。すると、図３に示すようにスプリング４４によって押し上げられてキャップ５０に密着していたスライドロッド１３８が、図４に示すようにエアによって押し下げられ、弁体１４０が下方の弁座１３６ａに着座して第２ポペットバルブ１１０を閉塞する。このように、充填途中で充填機が非常停止した場合に、直ちに電磁弁を切換えてエア室１５２内にエアを導入し、弁体１４０を有するスライドロッド１３８を降下させてシリンダ４とノズル６との間の第２ポペットバルブを閉じるので、それ以後の容器内への充填液の流入が停止するため、容器内の液があふれたり、充填液量にばらつきがでることを防止することができる。
【００３０】
この実施例では、洗浄時に両ポペットバルブ８，１１０を同時に開放するために、第１ポペットバルブ８が開放した状態で第２ポペットバルブ１１０を強制的に開放する必要があり、例えば、バルブ駆動カム７０，１７２を上昇させる手段を設けて通常の充填時よりも上昇させることにより、スライドロッド１３８をスプリング４４によって上昇させ、あるいは、両カム７０，１７２の形状を、上記のように交互に開閉する位置のほかに同時に開放させる第３の位置を設定してもよい。なお、上記実施例では、洗浄時にバルブ駆動カム１７２を上昇させる等の手段によって第２ポペットバルブ１１０を開放するようにしたが、例えば、第２バルブの開閉方向を逆にすれば、洗浄時にエア室内にエアを導入することにより第２ポペットバルブ１１０の開閉を行なうことも可能である。
【００３１】
【発明の効果】
以上述べたように本発明によれば、シリンダとノズルとの間の通路を開閉するバルブを、筒体内で昇降するロッドに形成された弁体と、この弁体が着座する弁座とから構成し、昇降手段によって上記ロッドを昇降させ、弁体が弁座に着座する位置と離座する位置とに停止させることによりこのバルブの開閉を行なうようにし、さらに、上記ロッドの弁体と逆の端部側にエア室を形成し、通常運転時には、上記昇降手段により第２バルブの開閉を行なうとともに、前記エア室にエアを導入しておき、充填中に運転が停止した際に、このエア室のエアを排出することにより上記ロッドを上昇させ、弁座から離座した位置にある弁体を弁座に着座させることにより、直ちに上記バルブを閉じるようにしたので、容器内への充填量にばらつきを生じたり、充填された液が容器内からあふれてしまうことを防止することができる。また、再起動する場合には、エア室内にエアを導入することにより、第２バルブを開放して充填を再開することができる。
【図面の簡単な説明】
【図１】本発明の一実施例に係るピストン式定量充填機の要部（充填機構）の縦断面図である。
【図２】充填機が充填中に停止した場合の上記充填機構の作動状態を示す縦断面図である。
【図３】第２の実施例に係るピストン式定量充填機の充填機構の縦断面図である。
【図４】第２の実施例に係る充填機が充填中に停止した場合の上記充填機構の作動状態を示す縦断面図である。
【符号の説明】
３ ピストン
４ シリンダ
６ ノズル
８ 第１バルブ
１０ 第２バルブ
１８ 筒体
２０ ロッド（スライドロッド）
２２ 弁体
１６ａ 弁座
５２ エア室
７２ 昇降手段（バルブ駆動カム）
【図１】
0003736646.tif 000002
【図２】
0003736646.tif 000003
【図３】
0003736646.tif 000004
【図４】
0003736646.tif 000005